(57)【要約】 【課題】内輪側へ溜まった潤滑剤を確実に排出できる新規な円錐ころ軸受用保持器およびこれを用いた円錐ころ軸受の提供。 【解決手段】内輪１と外輪２間で転動する複数の円錐ころ３を保持するための円錐ころ軸受用保持器１０であって、前記各円錐ころ３を転動自在に収容するポケット５ａを有し、当該各ポケット５ａの柱部５ｂに、その回転方向に対して傾斜した掻き上げ羽根５ｃを備える。これによって、この内輪１側に潤滑剤が溜まってしまった場合であっても、この保持器５自体が回転することによりその内輪１側に溜まった潤滑剤がその柱部５ｂに設けられた掻き上げ羽根５ｃによるポンプ作用によって外輪２側に掻き上げられて排出されるため、潤滑剤の攪拌抵抗による回転トルクの増大といった不都合を未然に回避することができる。【選択図】    図３
2007321955.tif 000002
【特許請求の範囲】
【請求項１】
内輪と外輪間で転動する複数の円錐ころを保持するための円錐ころ軸受用保持器であって、前記内輪側に溜まった潤滑油を前記外輪側に送る構造を備えたことを特徴とする円錐ころ軸受用保持器。
【請求項２】
内輪と外輪間で転動する複数の円錐ころを保持するための円錐ころ軸受用保持器であって、前記各円錐ころを転動自在に収容するポケットを有し、当該各ポケットの柱部に、その回転方向に対して傾斜した掻き上げ羽根を有することを特徴とする円錐ころ軸受用保持器。
【請求項３】
内輪と外輪間で転動する複数の円錐ころを保持するための円錐ころ軸受用保持器であって、前記各円錐ころを転動自在に収容するポケットを有し、当該各ポケットの柱部がその回転方向に対して傾斜していること特徴とする円錐ころ軸受用保持器。
【請求項４】
請求項１〜３のいずれか１項に記載の円錐ころ軸受用保持器を回転自在に組み込んだことを特徴とする円錐ころ軸受。
【請求項５】
請求項４に記載の円錐ころ軸受において、前記外輪または内輪の端面に、前記保持器の回転方向を識別する識別情報を付したことを特徴とする円錐ころ軸受。
【発明の詳細な説明】
【技術分野】
【０００１】
本発明は、転動体として円錐ころを用いたラジアル軸受に係り、特にその円錐ころを保持するための保持器およびこれを用いた円錐ころ軸受に関するものである。 
【背景技術】
【０００２】
一般に、自動車の足回り部品などのように回転軸に対してラジアル荷重とアキシアル荷重が掛かる部位の軸受には、例えば図６に示すような構造をした円錐ころ軸受１０が用いられている。
この円錐ころ軸受１０は、図示するように回転する軸体側に支持される内輪１と、静止体側に支持される外輪２と、その間に設けられる複数の円錐ころ（転動体）３と、これら円錐ころ３を一定の間隔を隔てて保持するための保持器４とから主に構成されている。
【０００３】
そして、この内輪１の外面に位置する軌道面１ａおよび外輪２の内面に位置する軌道面２ａはそれぞれテーパー状に形成されており、これらテーパー状の軌道面１ａおよび２ａに沿って各円錐ころ３、３…の転動面３ａが転動することで内輪１を円滑に支持すると共に内輪１と外輪２間に発生するラジアル荷重とアキシアル荷重を同時に負担するようになっている。
【０００４】
ところで、このような円錐ころ軸受１０を用いるにあたっては、焼付きや摩耗などを防止するためにその内輪１と外輪２間には常時潤滑剤（潤滑油）が供給されるようになっているが、図示するように内輪１の軌道面１ａは、その両端に各円錐ころ３、３…の脱落を防止するなどのための鍔部１ｂおよび１ｃが形成されて溝状になっているため、この間に供給された潤滑剤がこの鍔部１ｂ、１ｃによって堰き止められてスムーズに排出されなくなってしまうことがある。この結果、この内輪１の軌道面１ａ側に溜まった潤滑剤によって攪拌抵抗が増大し、回転トルクが大きくなってしまう。
【０００５】
そのため、例えば特許文献１では、保持器４の小径環状部１２の端面１５を円錐ころ３のピッチ円錐面Ｐよりも径方向内方に位置させると共に、大径環状部１３の径方向内方の端面１６をピッチ円錐面Ｐよりも径方向外方に位置させ、内輪１と保持器４との間への潤滑剤の浸入量を少なくすることで、潤滑剤による攪拌抵抗の増大を回避するようにしている。
【０００６】
また、特許文献２では、保持器４より内輪１側の開口面積（Ｓｉ）などを調整してその内輪１側への潤滑剤の浸入量を適当に調整することで焼付きと潤滑剤による攪拌抵抗の増大を回避するようにしている。
【特許文献１】特開２００５−２５７０４８号公報
【特許文献２】特開２００５−２６５１１３号公報
【発明の開示】
【発明が解決しようとする課題】
【０００７】
ところで、前記特許文献１および２などに開示されている技術は、内輪１側への潤滑剤の浸入量を制御することで潤滑剤による攪拌抵抗の増大を回避するようにしたものであるため、何らかの原因によって既にこの内輪１の軌道面１ａに潤滑剤が溜まってしまった場合には対応できない。
そこで、本発明はこのような課題を解決するための案出されたものであり、その目的は、内輪側へ溜まった潤滑剤を確実に排出できる新規な円錐ころ軸受用保持器およびこれを用いた円錐ころ軸受を提供するものである。 
【課題を解決するための手段】
【０００８】
前記課題を解決するために請求項１の発明は、
内輪と外輪間で転動する複数の円錐ころを保持するための円錐ころ軸受用保持器であって、前記内輪側に溜まった潤滑油を前記外輪側に送る構造を備えたことを特徴とする円錐ころ軸受用保持器である。
また、請求項２の発明は、 
内輪と外輪間で転動する複数の円錐ころを保持するための円錐ころ軸受用保持器であって、前記各円錐ころを転動自在に収容するポケットを有し、当該各ポケットの柱部に、その回転方向に対して傾斜した掻き上げ羽根を有することを特徴とする円錐ころ軸受用保持器である。
【０００９】
また、請求項３の発明は、 
内輪と外輪間で転動する複数の円錐ころを保持するための円錐ころ軸受用保持器であって、前記各円錐ころを転動自在に収容するポケットを有し、当該各ポケットの柱部がその回転方向に対して傾斜していること特徴とする円錐ころ軸受用保持器である。
また、請求項４の発明は、
請求項１〜３のいずれか１項に記載の円錐ころ軸受用保持器を回転自在に組み込んだことを特徴とする円錐ころ軸受である。
また、請求項５の発明は、
請求項４に記載の円錐ころ軸受において、前記外輪または内輪の端面に、前記保持器の回転方向を識別する識別情報を付したことを特徴とする円錐ころ軸受である。
【発明の効果】
【００１０】
請求項１の発明によれば、内輪側に溜まった潤滑油を前記外輪側に送る構造を備えたことから、この内輪側に潤滑剤が溜まってしまった場合であってもその潤滑剤を確実に排出できる。この結果、潤滑剤の攪拌抵抗による回転トルクの増大といった不都合を未然に回避することができる。
また、請求項２の発明によれば、円錐ころを転動自在に収容するポケットを有し、当該各ポケットの柱部に、その回転方向に対して傾斜した掻き上げ羽根を有することから、この内輪側に潤滑剤が溜まってしまった場合であっても、この保持器自体が回転することによりその内輪側に溜まった潤滑剤がその柱部に設けられた掻き上げ羽根によるポンプ作用によって外輪側に掻き上げられて排出される。この結果、請求項１と同様に潤滑剤の攪拌抵抗による回転トルクの増大といった不都合を未然に回避することができる。
【００１１】
また、請求項３の発明によれば、各円錐ころを転動自在に収容するポケットの柱部がその回転方向に対して傾斜していることから、この内輪側に潤滑剤が溜まってしまった場合であっても、この保持器自体が回転することにより内輪側に溜まった潤滑剤がその柱部の傾斜面によるポンプ作用によって外輪側に掻き上げられて排出される。この結果、請求項１と同様に潤滑剤の攪拌抵抗による回転トルクの増大といった不都合を未然に回避することができる。
【００１２】
そして、請求項４の発明によれば、これらいずれかの円錐ころ軸受用保持器を回転自在に組み込んだことから溜まった潤滑剤による回転トルクの増大といった不都合を確実に回避することができる。
また、請求項５の発明によれば、外輪または内輪の端面に、前記保持器の回転方向を識別する識別情報が付してあるため、この識別情報を前記保持器の回転方向の識別マークとして用いることで、その保持器を容易かつ確実に組み込むことができる。
【発明を実施するための最良の形態】
【００１３】
以下、本発明の実施形態について図面を参照しながら説明する。 
図１は、本発明に係る円錐ころ軸受１０の実施の一形態を示したものであり、図２はこの図１中Ａ−Ａ線断面図である。
図示するようにこの円錐ころ軸受１０は、外周面にテーパー状の軌道面１ａを有する内輪１と、内周面に前記内輪１の軌道面１ａに対向すべく同じくテーパー状の軌道面２ａを有する外輪２と、これら軌道面１ａ，２ａ間に転動自在に配置される複数の円錐ころ（転動体）３、３…と、これら各円錐ころ３、３…を一定の間隔を隔てて保持するリング状の保持器５とを備えた構造となっている。 
【００１４】
また、この内輪１の軌道面１ａの両端部は、それぞれ鍔部１ｂおよび１ｃがその周方向に沿って連続して突出するように形成されており、これら鍔部１ｂおよび１ｃによって各円錐ころ３、３…の両端面を支持してその脱落を防止するようになっている。
そして、本実施の形態にあっては、その各円錐ころ３、３…を一定の間隔を隔てて保持するリング状の保持器５の各ポケット５ａを区画する柱部５ｂの内面側に、内側に突出した掻き上げ羽根５ｃが設けられている（図３参照）。
【００１５】
すなわち、図３〜図５に示すようにこの保持器５は、それぞれ径の異なる一対のリング体５ｄ（断面Ｌ字状）、５ｅ間を、一定の間隔を隔てて配置される複数の柱部５ｂ、５ｂ…によって円錐状に一体的に連結したものであり、これら隣接する柱部５ｂ、５ｂによって形成される矩形状のポケット５ａ内に前記各円錐ころ３、３…を収容するようにして前記内輪１の軌道面１ａと、外輪２の軌道面２ａ間に嵌め込むことで各円錐ころ３、３…をそれぞれ一定の間隔を隔てて保持するようになっている。そして、これら各図に示すように、この柱部５ｂの内面側にはこれより内側に突出した板状の掻き上げ羽根５ｃが設けられている。
【００１６】
従って、図２に示すように各円錐ころ３、３…の転動に伴ってこの保持器５がその周方向に回転すると、内輪１の軌道面１ａ側に溜まった潤滑剤（潤滑油）が、この掻き上げ羽根５ｃのポンプ作用によって掻き上げられ、各ポケット５ａを通過して保持器５の外側に流れた後、外輪２のテーパー状をした軌道面２ａに沿って外部に排出されることになる。
これによって、潤滑剤による攪拌抵抗が増大するようなことがなくなって軸受の回転トルクの増大といった不都合を未然に回避することができる。
【００１７】
また、この内輪１と外輪２との間に供給された潤滑剤が内輪１の軌道面１ａから保持器５のポケット５ａを通過して外輪２の軌道面２ａ側にも効率良く十分に行き渡るようになるため、両軌道面１ａ、２ａは勿論、円錐ころ３の転動面３ａの潤滑性も確実に維持でき、潤滑不良による摩耗や異音、焼付きなどといった不都合も確実に防止することができる。
【００１８】
なお、本実施の形態では、全ての柱部５ｂに前述したような板状の掻き上げ羽根５ｃを設けた例で示したが、必ずしも全ての柱部５ｂに設ける必要はなく、１つおきあるいはそれ以上のピッチで設けるようにしても良い。
また、このような板状の掻き上げ羽根５ｃによる潤滑剤の掻き上げ効果（ポンプ作用）は、その大きさ（掻き上げ面積）が大きくなるほど顕著になるが、その分回転抵抗が増える結果となる。そのため、この掻き上げ羽根５ｃの大きさや形状などは、軸受の適用目的やサイズなどに応じて適宜、変更することが望ましい。
さらに、この掻き上げ羽根５ｃの下端部側を回転方向前方側に傾斜させるように設ければ、その掻き上げ効果をさらに向上させることができる。
【００１９】
また、本実施の形態に対する他の実施の形態として、保持器５の柱部５ｂにこのような板状の掻き上げ羽根５ｃを備えるのではなく、各柱部５ｂの回転方向面をその回転方向に対して斜めに傾斜するように加工（傾斜面）しても同様の効果が得られる。すなわち、このように加工することにより、その回転に伴ってその柱部５ｂに衝突した潤滑剤が、この柱部５ｂに沿って保持器５の外側に掻き上げられるように流れるため、前記実施の形態のように柱部５ｂに掻き上げ羽根５ｃを設けた場合と同様な効果を得ることができる。
【００２０】
しかも、掻き上げ羽根５ｃを設けない分だけその保持器５の回転抵抗を小さく抑えることが可能となる。また、掻き上げ羽根５ｃを設けた場合に比べてその潤滑剤の掻き上げ量（ポンプ作用）はやや劣ってしまうが、この場合は、柱部５ｂの板厚などを大きくしてその掻き上げ面の面積を増大するようにすれば良い。
また、このような柱部５ｂの回転方向に対する斜め加工に加えて、前述した掻き上げ羽根５ｃを併用するような構造であっても良い。この場合、より掻き上げ効果を得るためには柱部５ｂの回転方向傾斜面と掻き上げ羽根５ｃの掻き上げ面とは、面一であることが望ましい。
【００２１】
さらに、このように柱部５ｂの回転方向面を斜め加工したり、掻き上げ羽根５ｃを斜め方向に傾斜させて設けた場合は、その保持器５の回転方向が重要であり、その回転方向を誤って取り付けると全く効果が得られないばかりか却って逆効果になってしまう。
そのため、例えば図１に示すように外輪２の端面に、保持器５の回転方向を識別する識別情報６を刻印しておけば、その回転方向に対応した保持器５を間違いなく組み付けることができる。具体的には、回転方向識別情報として回転方向を示す矢印やその軸受や対応する保持器５の型番などの数字記号を用いることができる。
【図面の簡単な説明】
【００２２】
【図１】本発明に係る円錐ころ軸受１０の実施の一形態を示す周方向部分断面図である。
【図２】図１中Ａ−Ａ線断面図である。
【図３】本発明に係る保持器５の実施の一形態を示す上面方向斜視図である。
【図４】本発明に係る保持器５の実施の一形態を示す上面方向斜視図である。
【図５】図４の部分拡大図である。
【図６】従来の円錐ころ軸受の一例を示す周方向部分断面図である。
【符号の説明】
【００２３】
１０…円錐ころ軸受
１…内輪 
２…外輪 
３…円錐ころ（転動体） 
５…保持器 
５ａ…ポケット
５ｂ…柱部
５ｃ…掻き上げ羽根
６…回転方向識別情報
【図１】
2007321955.tif 000003
【図２】
2007321955.tif 000004
【図３】
2007321955.tif 000005
【図４】
2007321955.tif 000006
【図５】
2007321955.tif 000007
【図６】
2007321955.tif 000008